【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
帯電した複数の粒子と当該複数の粒子を分散させる分散媒とを内部に収容する複数の収容体で構成された層を１層だけ備え、当該複数の収容体を支持する支持シートを有する構造体と、
前記支持シートの外側に配置された第１の電極と、
前記複数の収容体の層の外側に配置された第２の電極と、
前記支持シートと前記複数の収容体の層との間に配置された第３の電極と、
前記第１の電極と前記第２の電極との間に、極性が反転する電圧を印加する駆動手段と、
前記第１の電極と前記第３の電極との間に接続される抵抗手段と、
を備えることを特徴とする光拡散装置。
【請求項２】
前記構造体の吸湿状態を示す情報を検出する吸湿状態検出手段と、
前記検出された情報に基づいて前記抵抗手段の抵抗値を制御する抵抗値制御手段と、
をさらに備えることを特徴とする請求項１に記載の光拡散装置。
【請求項３】
前記吸湿状態検出手段は、前記構造体の電気的な特性を検出することにより、前記吸湿状態を示す情報を検出することを特徴とする請求項２に記載の光拡散装置。
【請求項４】
前記吸湿状態検出手段は、前記第１の電極と第２の電極との間に電圧を印加したときの、前記第２の電極と第３の電極との間に発生する電圧の時間的な変化を検出することにより、前記吸湿状態を示す情報を検出することを特徴とする請求項３に記載の光拡散装置。
【請求項５】
前記吸湿状態検出手段は、前記第１の電極と第２の電極との間に電圧を印加したときの、前記第２の電極と第３の電極との間に発生するピーク電圧を検出することにより、前記吸湿状態を示す情報を検出することを特徴とする請求項３に記載の光拡散装置。
【請求項６】
前記吸湿状態検出手段は、前記構造体の物理的な特性を検出することにより、前記吸湿状態を示す情報を検出することを特徴とする請求項２に記載の光拡散装置。
【請求項７】
前記吸湿状態検出手段は、前記構造体の重量を検出することにより、前記吸湿状態を示す情報を検出することを特徴とする請求項６に記載の光拡散装置。
【請求項８】
前記抵抗手段の抵抗値は、前記複数の収容体の層の静電容量値と前記複数の収容体の層の絶縁抵抗値との積を、前記支持シートの静電容量値で除した値またはその近傍の値に、前記抵抗値制御手段により制御されることを特徴とする請求項２から７のいずれか１項に記載の光拡散装置。
【請求項９】
前記抵抗手段は、固定抵抗であり、前記構造体が吸湿した状態における、前記複数の収容体の層の静電容量値と前記複数の収容体の層の絶縁抵抗値との積を、前記支持シートの静電容量値で除した値またはその近傍の抵抗値を有することを特徴とする請求項１に記載の光拡散装置。
【請求項１０】
前記第２の電極と第３の電極との間の電圧を制限する電圧クランプ手段をさらに備えることを特徴とする請求項１から９のいずれか１項に記載の光拡散装置。
【請求項１１】
請求項１から１０のいずれか１項に記載の光拡散装置と、
画像を投影する画像投影手段と、
前記画像投影手段からの画像光が投影されることにより画像を表示するスクリーンと、
を備え、
前記スクリーンに表示された画像からの光が入射光として前記光拡散装置に入射する、
ことを特徴とする画像投写装置。
【請求項１２】
帯電した複数の粒子と当該複数の粒子を分散させる分散媒とを内部に収容する複数の収容体で構成された層を１層だけ備え、当該複数の収容体を支持する支持シートを有する構造体と、
前記支持シートの外側に配置された第１の電極と、
前記複数の収容体の層の外側に配置された第２の電極と、
前記支持シートと前記複数の収容体の層との間に配置された第３の電極と、
前記第１の電極と前記第３の電極との間に接続される抵抗手段と、
を備える光拡散装置の駆動方法であって、
前記第１の電極と前記第２の電極との間に、極性が反転する電圧を印加する駆動工程と、
前記構造体の吸湿状態を示す情報を検出する吸湿状態検出工程と、
前記検出された情報に基づいて前記抵抗手段の抵抗値を制御する抵抗値制御工程と、
を含むことを特徴とする光拡散装置の駆動方法。
【請求項１３】
前記吸湿状態検出工程では、前記構造体の電気的な特性を検出することにより、前記吸湿状態を示す情報を検出することを特徴とする請求項１２に記載の光拡散装置の駆動方法。
【請求項１４】
前記吸湿状態検出工程では、前記第１の電極と第２の電極との間に電圧を印加したときの、前記第２の電極と第３の電極との間に発生する電圧の時間的な変化を検出することにより、前記吸湿状態を示す情報を検出することを特徴とする請求項１３に記載の光拡散装置の駆動方法。
【請求項１５】
前記吸湿状態検出工程では、前記第１の電極と第２の電極との間に電圧を印加したときの、前記第２の電極と第３の電極との間に発生するピーク電圧を検出することにより、前記吸湿状態を示す情報を検出することを特徴とする請求項１３に記載の光拡散装置の駆動方法。
【請求項１６】
前記吸湿状態検出工程では、前記構造体の物理的な特性を検出することにより、前記吸湿状態を示す情報を検出することを特徴とする請求項１２に記載の光拡散装置の駆動方法。
【請求項１７】
前記吸湿状態検出工程では、前記構造体の重量を検出することにより、前記吸湿状態を示す情報を検出することを特徴とする請求項１６に記載の光拡散装置の駆動方法。
【請求項１８】
前記抵抗手段の抵抗値は、前記複数の収容体の層の静電容量値と前記複数の収容体の層の絶縁抵抗値との積を、前記支持シートの静電容量値で除した値またはその近傍の値に、前記抵抗値制御工程において制御されることを特徴とする請求項１２から１７のいずれか１項に記載の光拡散装置の駆動方法。
【手続補正２】
【補正対象書類名】明細書
【補正対象項目名】０００７
【補正方法】変更
【補正の内容】
【０００７】
本発明に係る光拡散装置は、
帯電した複数の粒子と当該複数の粒子を分散させる分散媒とを内部に収容する複数の収容体で構成された層を１層だけ備え、当該複数の収容体を支持する支持シートを有する構造体と、
前記支持シートの外側に配置された第１の電極と、
前記複数の収容体の層の外側に配置された第２の電極と、
前記支持シートと前記複数の収容体の層との間に配置された第３の電極と、
前記第１の電極と前記第２の電極との間に、極性が反転する電圧を印加する駆動手段と、
前記第１の電極と前記第３の電極との間に接続される抵抗手段と、
を備えることを特徴とする。
【手続補正３】
【補正対象書類名】明細書
【補正対象項目名】０００８
【補正方法】変更
【補正の内容】
【０００８】
本発明に係る画像投写装置は、
上記の光拡散装置と、
画像を投影する画像投影手段と、
前記画像投影手段からの画像光が投影されることにより画像を表示するスクリーンと、
を備え、
前記スクリーンに表示された画像からの光が入射光として前記光拡散装置に入射することを特徴とする。
【手続補正４】
【補正対象書類名】明細書
【補正対象項目名】０００９
【補正方法】変更
【補正の内容】
【０００９】
本発明に係る光拡散装置の駆動方法は、
帯電した複数の粒子と当該複数の粒子を分散させる分散媒とを内部に収容する複数の収容体で構成された層を１層だけ備え、当該複数の収容体を支持する支持シートを有する構造体と、
前記支持シートの外側に配置された第１の電極と、
前記複数の収容体の層の外側に配置された第２の電極と、
前記支持シートと前記複数の収容体の層との間に配置された第３の電極と、
前記第１の電極と前記第３の電極との間に接続される抵抗手段と、
を備える光拡散装置の駆動方法であって、
前記第１の電極と前記第２の電極との間に、極性が反転する電圧を印加する駆動工程と、
前記構造体の吸湿状態を示す情報を検出する吸湿状態検出工程と、
前記検出された情報に基づいて前記抵抗手段の抵抗値を制御する抵抗値制御工程と、
を含むことを特徴とする。